(57)【要約】【課題】サージング耐力を向上させるために、突起の高さを高くすると、吹出口の面積が減少し、吹き出し抵抗が増加することにより、風量が減少したり、騒音が増加する技術課題がある。【解決手段】本発明の室内機は、吸込口及び吹出口を有するケーシングと、ケーシングの内部に配置されたクロスフローファンと、クロスフローファンと上記吹出口との間において空気流路を形成するスタビライザ及びリアガイダとを備え、スタビライザは、吹出口の長手方向端部に配置された粗面を有する。【選択図】図４
2018124004.tif 000002
【特許請求の範囲】
【請求項１】
吸込口及び吹出口を有するケーシングと、
上記ケーシングの内部に配置されたクロスフローファンと、
上記クロスフローファンと上記吹出口との間において空気流路を形成するスタビライザ及びリアガイダとを備え、
上記スタビライザまたは上記リアガイダは、上記吹出口の長手方向端部に配置された粗面を有することを特徴とする室内機。
【請求項２】
上記スタビライザまたは上記リアガイダは、上記吹出口の長手方向端部に配置された突出部を有し、
上記粗面は、上記突出部の一部に配置されたことを特徴とする請求項１に記載の室内機。
【請求項３】
上記突出部は、
上記スタビライザまたは上記リアガイダから略垂直に延在した延在面と、
上記延在面の先端から吹き出し方向に向かうにつれて厚さが薄くなるように傾斜する傾斜面とを有し、
上記粗面は、上記傾斜面に配置されたことを特徴とする請求項２に記載の室内機。
【請求項４】
上記スタビライザは、上記吹出口の長手方向端部に配置された粗面を有することを特徴とする請求項１−３のいずれかに記載の室内機。
【請求項５】
上記粗面は、凹凸が形成された面で構成されることを特徴とする請求項１−４のいずれかに記載の室内機。
【請求項６】
上記粗面は、吹き出し方向に略垂直に延びた複数の溝が形成された面で構成されることを特徴とする請求項５に記載の室内機。
【請求項７】
上記粗面は、不織布が貼られた面で構成されることを特徴とする請求項１−４のいずれかに記載の室内機。
【請求項８】
天井埋込型室内機であることを特徴とする請求項１−７のいずれかに記載の室内機。
【発明の詳細な説明】
【技術分野】
【０００１】
本発明は、例えばクロスフローファンを備えた室内機に関する。
【背景技術】
【０００２】
従来、クロスフローファンを備えた空気調和機の室内機において、吹出口端部では流速が遅く、吹出口からの逆流によりサージングの問題がある。したがって、従来は、吹出口の端部に突起を形成することにより吹出口からの逆流を防止し、サージング対策を行っていた。
【先行技術文献】
【特許文献】
【０００３】
【特許文献１】特開２０１６−１２８１４２号公報
【発明の概要】
【発明が解決しようとする課題】
【０００４】
従来の室内機において、サージング耐力を向上させるために、突起の高さを高くすると、吹出口の面積が減少し、吹き出し抵抗が増加することにより、風量が減少したり、騒音が増加する技術課題がある。
【０００５】
そこで、本発明の目的は、サージング耐力を向上させることができる室内機を提供することである。
【課題を解決するための手段】
【０００６】
第１の発明にかかる室内機は、吸込口及び吹出口を有するケーシングと、上記ケーシングの内部に配置されたクロスフローファンと、上記クロスフローファンと上記吹出口との間において空気流路を形成するスタビライザ及びリアガイダとを備え、上記スタビライザまたは上記リアガイダは、上記吹出口の長手方向端部に配置された粗面を有することを特徴とする。
【０００７】
この室内機では、スタビライザまたはリアガイダが吹出口の長手方向端部に配置された粗面を有し、吹出口端部において吹き出し空気がスタビライザまたはリアガイダから剥離しにくくなる。したがって、吹き出し空気が剥離した部分からの逆流を防止できることから、サージング耐力を向上させることができる。
【０００８】
第２の発明にかかる室内機は、第１の発明において、上記スタビライザまたは上記リアガイダは、上記吹出口の長手方向端部に配置された突出部を有し、上記粗面は、上記突出部の一部に配置されたことを特徴とする。
【０００９】
この室内機では、スタビライザまたはリアガイダが吹出口の長手方向端部に配置された突出部を有し、吹出口端部において、吹き出し空気が剥離した部分からの逆流を効果的に防止できる。
【００１０】
第３の発明にかかる室内機は、第２の発明において、上記突出部は、上記スタビライザまたは上記リアガイダから略垂直に延在した延在面と、上記延在面の先端から吹き出し方向に向かうにつれて厚さが薄くなるように傾斜する傾斜面とを有し、上記粗面は、上記傾斜面に配置されたことを特徴とする。
【００１１】
この室内機では、スタビライザまたはリアガイダの突出部の吹出方向下流側の傾斜面に配置された粗面を有し、吹出口端部において吹き出し空気がスタビライザまたはリアガイダから剥離するのを効果的に防止できる。
【００１２】
第４の発明にかかる室内機は、第１−第３の発明のいずれかにおいて、上記スタビライザは、上記吹出口の長手方向端部に配置された粗面を有することを特徴とする。
【００１３】
この室内機では、スタビライザが吹出口の長手方向端部に配置された粗面を有し、サージング耐力を向上させることができる。
【００１４】
第５の発明にかかる室内機は、第１−第４の発明のいずれかにおいて、上記粗面は、凹凸が形成された面で構成されることを特徴とする。
【００１５】
この室内機では、室内機を製造する際に、粗面として、凹凸が形成された面が構成され、吹き出し空気がスタビライザまたはリアガイダから剥離するのを防止するための粗面を容易に形成できる。
【００１６】
第６の発明にかかる室内機は、第５の発明において、上記粗面は、吹き出し方向に略垂直に延びた複数の溝が形成された面で構成されることを特徴とする。
【００１７】
この室内機では、粗面が、吹き出し方向に略垂直に延びた複数の溝が形成された面で構成され、吹き出し空気がスタビライザまたはリアガイダから剥離するのを効果的に防止できる。
【００１８】
第７の発明にかかる室内機は、第１−第４の発明のいずれかにおいて、上記粗面は、不織布が貼られた面で構成されることを特徴とする。
【００１９】
この室内機では、室内機を製造した後において、粗面として、不織布が貼られた面で構成し、吹き出し空気がスタビライザまたはリアガイダから剥離するのを防止するための粗面を容易に形成できる。
【００２０】
第８の発明にかかる室内機は、第１−第７の発明のいずれかにおいて、天井埋込型室内機であることを特徴とする。
【００２１】
この室内機では、壁掛け室内機と比べ、サージング耐力が低い天井埋込型室内機において、サージング耐力を効果的に向上させることができる。
【発明の効果】
【００２２】
以上の説明に述べたように、本発明によれば、以下の効果が得られる。
【００２３】
第１の発明では、スタビライザまたはリアガイダが吹出口の長手方向端部に配置された粗面を有し、吹出口端部において吹き出し空気がスタビライザまたはリアガイダから剥離しにくくなる。したがって、吹き出し空気が剥離した部分からの逆流を防止できることから、サージング耐力を向上させることができる。
【００２４】
第２の発明では、スタビライザまたはリアガイダが吹出口の長手方向端部に配置された突出部を有し、吹出口端部において、吹き出し空気が剥離した部分からの逆流を効果的に防止できる。
【００２５】
第３の発明では、スタビライザまたはリアガイダの突出部の吹出方向下流側の傾斜面に配置された粗面を有し、吹出口端部において吹き出し空気がスタビライザまたはリアガイダから剥離するのを効果的に防止できる。
【００２６】
第４の発明では、スタビライザが吹出口の長手方向端部に配置された粗面を有し、サージング耐力を向上させることができる。
【００２７】
第５の発明では、室内機を製造する際に、粗面として、凹凸が形成された面が構成され、吹き出し空気がスタビライザまたはリアガイダから剥離するのを防止するための粗面を容易に形成できる。
【００２８】
第６の発明では、粗面が、吹き出し方向に略垂直に延びた複数の溝が形成された面で構成され、吹き出し空気がスタビライザまたはリアガイダから剥離するのを効果的に防止できる。
【００２９】
第７の発明では、室内機を製造した後において、粗面として、不織布が貼られた面で構成し、吹き出し空気がスタビライザまたはリアガイダから剥離するのを防止するための粗面を容易に形成できる。
【００３０】
第８の発明では、壁掛け室内機と比べ、サージング耐力が低い天井埋込型室内機において、サージング耐力を効果的に向上させることができる。
【図面の簡単な説明】
【００３１】
【図１】本発明の実施形態に係る室内機の下面図である。
【図２】図１に示す室内機の断面図である。
【図３】図１に示す室内機を斜視断面図である。
【図４】図１に示すスタビライザに形成された突出部を示す図である。
【発明を実施するための形態】
【００３２】
以下、図面を参照しつつ本発明の実施形態に係る室内機について説明する。
【００３３】
［室内機の全体構成］
本実施形態に係る室内機１は、図１−図３に示すように、天井埋込型室内機であって、天井に埋込まれたケーシング２と、ケーシング２の内部に配置されたクロスフローファン３及び熱交換器４とを有している。ケーシング２の下面２ａが天井に配置され、下面２ａには、吸込口７及び吹出口８が形成される。
【００３４】
ケーシング２の内部には、吸込口７から吸い込まれた空気が、熱交換器４を通過した後、クロスフローファン３に流れ、その後、吹出口８から吹き出されるように空気流路が形成される。空気流路のうち、クロスフローファン３と吹出口８との間の空気流路は、スタビライザ５及びリアガイダ６により形成される。吹出口８は、室内機１の長手方向に延びた矩形状であって、吹出口８には、長手方向に延在した２枚の風向板８ａが配置される。
【００３５】
スタビライザ５及びリアガイダ６は、ケーシング２の内部において吹出口８の長手方向に延在する。したがって、スタビライザ５は、クロスフローファン３と吹出口８との間の空気流路の室内機内周側の壁面であって、リアガイダ６は、クロスフローファン３と吹出口８との間の空気流路の外周側の壁面である。
【００３６】
本実施形態に係る室内機１では、スタビライザ５は、吹出口８の長手方向端部に配置された突出部５ａを有している。突出部５ａは、図１に示すように、吹出口８の長手方向の一部の領域であって、吹出口８の長手方向右端部の領域ａに配置される。吹出口８の長手方向について、突出部５ａの断面形状は同一である。
【００３７】
突出部５ａは、図４に示すように、クロスフローファン３の周辺において、スタビライザ５から略垂直に延在した延在面５ａａと、延在面５ａａの先端から吹き出し方向に向かうにつれて厚さが薄くなるように傾斜する傾斜面５ａｂとを有している。傾斜面５ａｂには、吹き出し方向に略垂直に延びた複数の溝５ａｃが形成される。複数の溝５ａｃは、吹出口８の長手方向に沿って略平行に延びている。したがって、傾斜面５ａｂは、全体として凹凸が形成された粗面で構成される。よって、スタビライザ５は、吹出口８の長手方向端部に配置された粗面を有している。
【００３８】
＜本実施形態の室内機の特徴＞
本実施形態の室内機１では、スタビライザ５が吹出口８の長手方向端部に配置された粗面を有し、吹出口８の端部において吹き出し空気がスタビライザ５から剥離しにくくなる。したがって、吹き出し空気が剥離した部分からの逆流を防止できることから、サージング耐力を向上させることができる。
【００３９】
本実施形態の室内機１では、スタビライザ５が吹出口の長手方向端部に配置された突出部５ａを有し、吹出口８の端部において、吹き出し空気が剥離した部分からの逆流を効果的に防止できる。
【００４０】
本実施形態の室内機１では、スタビライザ５の突出部５ａの吹出方向下流側の傾斜面５ａｂに配置された粗面を有し、吹出口８の端部において吹き出し空気がスタビライザ５から剥離するのを効果的に防止できる。
【００４１】
本実施形態の室内機１では、スタビライザ５が吹出口８の長手方向端部に配置された粗面を有し、サージング耐力を向上させることができる。
【００４２】
本実施形態の室内機１では、室内機を製造する際に、粗面として、凹凸が形成された面が構成され、吹き出し空気がスタビライザ５から剥離するのを防止するための粗面を容易に形成できる。
【００４３】
本実施形態の室内機１では、粗面として、傾斜面５ａｂが、吹き出し方向に略垂直に延びた複数の溝５ａｃが形成された面で構成され、吹き出し空気がスタビライザ５から剥離するのを効果的に防止できる。
【００４４】
本実施形態の室内機１では、壁掛け室内機と比べ、サージング耐力が低い天井埋込型室内機において、サージング耐力を効果的に向上させることができる。
【００４５】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００４６】
上記実施形態では、スタビライザが吹出口の長手方向右端部に配置された粗面を有する室内機を説明したが、スタビライザが吹出口の長手方向左端部及び右端部の少なくとも一方に配置された粗面を有する室内機であってよい。上記実施形態では、スタビライザが吹出口の長手方向端部に配置された粗面を有する室内機を説明したが、リアガイダが吹出口の長手方向端部に配置された粗面を有する室内機であってよい。
【００４７】
上記実施形態では、スタビライザが吹出口の長手方向端部に配置された突出部を有し、粗面が突出部の一部に形成された室内機を説明したが、スタビライザが吹出口の長手方向端部に配置された突出部を有さない室内機であってよい。したがって、本発明は、粗面が突出部の一部に形成された室内機に限定されない。本発明において、スタビライザが吹出口の長手方向端部に配置された粗面が突出部以外に形成された室内機であってよい。本発明は、リアガイダが吹出口の長手方向端部に配置された突出部を有し、粗面が突出部の一部に形成された室内機であってよい。
【００４８】
上記実施形態では、突出部が、スタビライザから略垂直に延在した延在面と、延在面の先端から吹き出し方向に向かうにつれて厚さが薄くなるように傾斜する傾斜面とを有し、粗面が、傾斜面に形成された場合を説明したが、突出部の形状は他の形状であってよいし、粗面は突出部の一部に形成されてよい。
【００４９】
上記実施形態では、粗面が、吹き出し方向に略垂直に延びた複数の溝が形成され、凹凸が形成された面で構成された場合を説明したが、粗面として、凹凸が形成された面の構成は限定されない。本発明において、粗面は、不織布が貼られた面で構成されてよい。この場合、室内機を製造した後において、粗面として、不織布が貼られた面で構成し、吹き出し空気がスタビライザまたはリアガイダから剥離するのを防止するための粗面を容易に形成できる。
【００５０】
上記実施形態では、天井埋込型室内機を説明したが、吸込口及び吹出口を有するケーシングと、ケーシングの内部に配置されたクロスフローファンと、クロスフローファンと吹出口との間において空気流路を形成するスタビライザ及びリアガイダとを有した壁掛け室内機等であってよい。
【産業上の利用可能性】
【００５１】
本発明を利用すれば、サージング耐力を向上させることができる。
【符号の説明】
【００５２】
１  室内機
２  ケーシング
３  クロスフローファンと、
４  熱交換器
５  スタビライザ
５ａ  突出部
５ａｂ  延在面
５ａｂ  傾斜面
５ａｃ  溝
６  リアガイダ
７  吸込口
８  吹出口
【図１】
2018124004.tif 000003
【図２】
2018124004.tif 000004
【図３】
2018124004.tif 000005
【図４】
2018124004.tif 000006